(57)【要約】【課題】  火食を始めて以来、人類に特有の歯周病はＷＨＯ調査で今なお７０％以上あると云われるがその予防と治療及び歯周由来の口臭除去に効果多大な電動歯周歯ブラシを、必要とするすべての人に簡便且つ廉価に提供できるようにする。【解決手段】  構造を簡略化して部品数・製造工程を減らして騒音を減少させた上製造コストを下げ洗浄を容易にした上、先端の曲折角度をフレキシブルにして清掃効果を高め、毛先の保護と矯正により剛毛束の寿命を延ばした。【選択図】なし【特許請求の範囲】
【請求項１】
原動機回転軸から一定距離で偏心して回転する球体受けに収納した可動球体に接続した剛毛束を、原動機回転軸中心線と可動球体の中心垂線の交点を基点とし、原動機回転軸の前方に向かって一定角度に設置したシリンダーに通し、原動機の回転運動を剛毛束先端毛先の往復運動に変換する電動歯周歯ブラシ。
【請求項２】
原動機回転軸から一定距離で偏心して回転し回転軸方向に可動の支点に接続した剛毛束を、原動機回転軸中心線と支点の垂線の交点を基点とし、原動機回転軸の前方に向かって一定角度に設置したシリンダーに通し、原動機の回転運動を剛毛束毛先を往復運動と共に回転運動させる電動歯周歯ブラシ。
【請求項３】
シリンダー先端部の曲折部をフレキシブルにすることで、患部の多様性に対応した角度を得られるようにした電動歯周歯ブラシ。
【請求項４】
シリンダーを一定距離引き抜くことでシリンダー接続部に洗浄孔が現れ、同時に剛毛束毛先をシリンダー内部に収納して、剛毛束毛先の保護と矯正を行う電動歯周歯ブラシ。
【発明の詳細な説明】
【技術分野】
【０００１】  本発明は電動歯周歯ブラシに関する。
【技術背景】
【０００２】  剛毛束がその長方向に高速で往復運動し、剛毛束先端の毛先が歯の側面に添って扇状に開きながら歯周ポケット内の歯垢や歯石を清掃、且つ歯肉のマッサージもする電動歯周歯ブラシは、歯周病の予防・治療や、歯周から発生する口臭の除去に非常な効果があり、この方式の最初は電動の高圧断続水流のノズルの先端に圧縮コイルバネ付剛毛束を装着し、高圧断続水流で剛毛束を数ミリストロークの往復運動に変えることにより、その剛毛束毛先で歯周ポケット内を清掃およびマッサージすることから始まった。
【先行技術文献】
【特許文献】
【０００３】
【特許文献１】  特許第２６６３２１３号
【非特許文献】
【０００４】１  縦型電動歯ブラシの臨床効果について〈報告書；鴨井久博教授  日本歯科大）
２  反復加圧刺激による繊維芽細胞の増殖の違い（２００３年日本歯周病学界；発表渡邊    達夫教授  岡山大学）
３  縦運動電動歯ブラシの歯周ポケットモデルによるプラーク除去率（久野彰子  日本歯  科大；２００５年中部デンタルショウ）    その他。
【発明の概要】
【発明が解決しようとする課題】
【０００５】  それ以後の剛毛束が往復運動する各種電動歯ブラシは、原動機の回転運動を剛毛束毛先の往復運動に変えるため、ギヤ・クランク等の部品数が多く、従って騒音が発生すると同時に無益な負荷が生じる上製造コストも上がり、歯周病予防・治療や歯周由来の口臭除去を必要とする各層に行き渡らなかった。使用後の洗浄は剛毛束がその内部で往復運動するシリンダーを取り外して水洗する不便さがあり、不使用時の剛毛束毛先や剛毛束露出部の保護と矯正に関しては全く手が施されていなかった上、シリンダー前部の曲折部は一定角度に固定されていた。
【問題を解決するための手段】
【０００６】  本発明は原動機１の回転を往復運動に変換するため、第一方式は原動機１の原動機回転軸２に装着した回転盤３・４の偏心位置に設けた球体受け３ａ・４ａに装着したシャフト付球体５から剛毛束接続部６を経て剛毛束毛先７に至る剛毛束８を、先端部にフレキシブル曲折部９ａ・９ｂを持ち後部に洗浄孔１０を持ち回転軸２の中心線と回転盤３・４の垂線の交点から前方先端に向かって２０°〜２５°の傾斜をもつシリンダー１１に通し、シリンダー１１を本体ケース１２に装着する。そこで、原動機１を始動すると剛毛束毛先７に数ミリの往復運動が生じる。
第二方式の場合は、剛毛束８の往復運動に回転運動を加えるため、原動機１の原動機回転軸２に装着した支点軸貫通孔１３とバネ付回転盤１４の支点軸貫通孔１３に支点軸１５付シャフト１６の支点軸１５を挿入する。次いで第一方式同様シリンダー１１内に入れて本体ケース１２に装着する。原動機１を始動すると、剛毛束毛先７は往復運動とともに一往復一回転の回転運動を生ずる。使用時の剛毛束毛先７の角度はフレキシブル曲折部９ａ・９ｂで容易に調節できる。歯磨き終了時には、第一方式も同様であるがシリンダー１１を一定距離引き抜くと、剛毛束毛先７はシリンダー１１の先端部内に収納され、その後部に洗浄孔１０が現れて容易に水洗でき、そのまま放置しておくと次回使用時まで剛毛束毛先７の保護と矯正ができる。
【発明の効果】
【０００７】  本発明は、従来の剛毛束毛先による歯周清掃と同等又はそれ以上の歯周病予防・治療及び、歯周由来の口臭除去効果を維持しながら、構造を極端に単純化することで製造コストが下がり、騒音が減少するとともに無益な負荷を減らして電源寿命を延ばし、容易な洗浄でシリンダー内部の清潔を保ち、且つ、毛先の保護と矯正を行うため毛先の消耗が減少し清掃効果が持続する。
第一方式のシャフト付球体の後部に設置した緩衝バネは歯周に加わる衝撃をやわらげて弱い歯周でも快適に一巡できる。その際、シリンダーの曲折部を適当な角度に曲げることで百人百様の複雑な歯周患部も効果的な歯周病予防・治療や口臭除去が可能になる。依って毛先の消耗・損傷が少なく、騒音が小さくて清潔な電動歯周歯ブラシを、歯周病予防・治療や歯周の口臭除去を必要とする各層の人に廉価に提供できる。
第二方式は歯列矯正その他補綴部分等を有する歯周には不向きであるが、通常の歯周にはより一層の爽快感と歯周清掃効果を発揮する。
【図面の簡単な説明】
【０００８】
【図１】  本発明の第一方式の全体断面図である。
【図２】  本発明の第一方式の回転運動を剛毛束を往復運動に変換するための主要部とシリンダー洗浄孔の分解立体図である。
【図３】  本発明の第一方式の回転部分を往復運動を剛毛束の往復運動に変換するためのシャフト付球体の組付け断面図である。
【図４】  シリンダー先端のフレキシブル曲折部である。
【図５】  本発明の第二方式の剛毛束を往復運動及び回転運動に変換するための主要部分解立体図である。
【図６】  本発明の第二方式を簡略化した方式の組付け断面図である。
【発明を実施するための形態】
【０００９】  本発明の第一方式を図１の全体断面図の如く組み付けるために、図２の主要部分解立体図のシャンク付回転盤３と緩衝バネ付回転盤４が対面した状態でシャフト付球体５のシャフトを球体受け３ａの底部の孔に通し、シャフト付球体５の後部に球体受け４ａを合わせて密着させ、同時に球体受け３ａ・４ａの対極にある嵌め殺しのカシメ孔３ｂにカシメ突起４ｂを押し込むと図３が完成する。次いで本体ケース１２に収納した原動機１の原動機回転軸２にシャンク付回転盤３のシャンクを挿入固着し、シャフト付球体５のシャフトの先端に剛毛束接続部６を挿入する。次にシリンダー１１の中に剛毛束８を通したシリンダー嵌合部１１ａを本体ケースの嵌合部１２ａに挿入して組み付けが完了。そこで原動機１を始動すると、シャフト付球体５が偏心回転してそれに連結された剛毛束８は一定角度をもったシリンダー１１の中で往復運動に変わり、剛毛束毛先７が毎分数千回、数ミリストロークの歯周ポケット清掃とマッサージに適した往復運動に変換する。
第二方式は図５の支点軸１５付シャフト１６の支点軸１５を支点軸貫通孔１３とバネ付回転盤１４の支点軸貫通孔１３に入れ、剛毛束接続部６を支点軸付シャフト１６の先端に挿入し、支点軸貫通孔１３とバネ付回転盤１４を原動機回転軸２に装着したら、第一方式同様の手続きで剛毛束８を通したシリンダー１１を本体ケース１２装着する。そこで、原動機１を始動すると剛毛束毛先７は毎分数千回数ミリストロークの往復運動と同時に、毎分数千回の回転が生ずる。第二方式を最簡略化したものでは、剛毛束接続部を接続突起１７付回転盤１８の接続突起に接続しても可能であるが、剛毛束毛先７の衝撃力維持のため剛毛束８の全長を短くするので，全長は短縮され、多少使い勝手は悪いが携帯に便利な製品をより安価に提供できる。
【符号の説明】
【００１０】１    原動機
２    原動機回転軸
３    シャンク付回転盤
３ａ  球体受け
３ｂ  カシメ孔
４    緩衝バネ付回転盤
４ａ  球体受け
４ｂ  カシメ突起部
５    シャフト付球体
６    剛毛束接続部
７    剛毛束毛先
８    剛毛束
９ａ  フレキシブル接続部
９ｂ  フレキシブル接続部
１０  洗浄孔
１１  シリンダー
１２  本体ケース
１３  支点軸貫通孔
１４  支点軸貫通孔と緩衝バネ付回転盤
１５  支点軸
１６  支点軸付シャフト
１７  接続突起部
１８  接続突起部付回転盤
【図１】
2016087393.tif 000002
【図２】
2016087393.tif 000003
【図４】
2016087393.tif 000004
【図５】
2016087393.tif 000005
【図６】
2016087393.tif 000006
【手続補正書】
【提出日】平成27年2月3日(2015.2.3)
【手続補正１】
【補正対象書類名】図面
【補正対象項目名】全図
【補正方法】変更
【補正の内容】
【図１】
2016087393.tif 000007
【図２】
2016087393.tif 000008
【図３】
2016087393.tif 000009
【図４】
2016087393.tif 000010
【図５】
2016087393.tif 000011
【図６】
2016087393.tif 000012